(57)【特許請求の範囲】
【請求項１】
枠体、平行に対向移動できるように該枠体に配置されているフロント窓及びリア窓を有する建物の開口の遮蔽構造において、
前記枠体が少なくとも１つの排水溝を有する底枠を含み、
前記フロント窓が第１の縦面を有する第１の縦枠を含み、
前記リア窓が前記第１の縦面と対向する第２の縦面を有する第２の縦枠を含み、
前記第１の縦面と第２の縦面との間に配置され、該第１の縦面及び該第２の縦面とともに空間を囲んで形成する密封構造を有し、
前記フロント窓の第１の縦面と前記リア窓の第２の縦面の少なくとも一方に、前記空間及び前記排水溝と連通する少なくとも１つの穿孔が配置されている、建物の開口の遮蔽構造。
【請求項２】
前記密封構造は、前記フロント窓の第１の縦枠の長手の辺又は前記リア窓の第２の縦枠の長手の辺に沿って配置され、前記第１の縦面及び前記第２の縦面の少なくとも１つに接続している２つのシール条を備える、請求項１記載の建物の開口の遮蔽構造。
【請求項３】
各前記シール条は、取付部と少なくとも一つの止め部とを有し、前記第１の縦枠の第１の縦面及び前記第２の縦枠の第２の縦面の少なくとも一方には前記取付部に対応する収容溝を有し、前記取付部は前記収容溝に着脱自在に収容され、前記少なくとも一つの止め部の一端が前記取付部に接続され、他端が前記第１の縦面又は前記第２の縦面に当接している、請求項２記載の建物の開口の遮蔽構造。
【請求項４】
前記少なくとも一つの止め部の数は複数であり、各前記止め部は互いに離間している、請求項３記載の建物の開口の遮蔽構造。
【請求項５】
前記止め部は、前記取付部から離れる方向に所定の長さを延出する少なくとも１つの第１の止め部と少なくとも１つの第２の止め部とを含み、且つ前記少なくとも１つの第１の止め部の延出長さは前記少なくとも１つの第２の止め部の延出長さと等しくない、請求項４記載の建物の開口の遮蔽構造。
【請求項６】
各前記シール条はゴム製である、請求項２記載の建物の開口の遮蔽構造。
【請求項７】
前記第１の縦枠及び前記第２の縦枠の少なくとも一方は中空管であり、下端に前記排水溝に対応する開口を有し、前記少なくとも１つの穿孔が前記空間及び前記開口と連通している、請求項１記載の建物の開口の遮蔽構造。
【請求項８】
前記第１の縦枠及び前記第２の縦枠の少なくとも一方は、前記空間及び外部の空間と連通する側面孔を有する、請求項７記載の建物の開口の遮蔽構造。
【請求項９】
前記排水溝は少なくとも１つの溝壁を有し、前記溝壁は少なくとも１つの排水孔を有し、前記排水溝の底部は斜面を有する、請求項１記載の建物の開口の遮蔽構造。
【請求項１０】
前記排水溝は第１の段階部及び第２の段階部を含み、前記第１の段階部は前記斜面を有し、前記第２の段階部は取付面及び導流面を有し、前記斜面と前記底枠の底部との間に第１の距離を有し、前記取付面と前記底枠の底部との間に前記第１の距離より大きい第２の距離を有し、前記導流面は前記斜面に接続されている、請求項９記載の建物の開口の遮蔽構造。
【請求項１１】
複数のフィンを有し、前記第１の縦枠及び前記第２の縦枠のいずれか一方の底部に配置されている遮蔽部を含み、前記フィンの部分が前記空間に位置している、請求項１記載の建物の開口の遮蔽構造。
【請求項１２】
前記枠体に配置され、前記フロント窓又は前記リア窓と接触し、表面には複数の突起部を有する少なくとも二つの管状ゴム材を含む、請求項１記載の建物の開口の遮蔽構造。
【請求項１３】
前記フロント窓又は前記リア窓は、１つの前記管状ゴム材の表面と接触する傾斜面をそれぞれ含む、請求項１２記載の建物の開口の遮蔽構造。
【請求項１４】
前記枠体は２つのガイド板を含み、前記リア窓及び前記リア窓の外側にはそれぞれ少なくとも１つのガイドブロックが設けられ、前記フロント窓及び前記リア窓をそれぞれ管状ゴム材に押し付けるように、各前記ガイド板がそれぞれ前記ガイドブロックと接触する、請求項１２記載の建物の開口の遮蔽構造。
【請求項１５】
前記フロント窓及び前記リア窓は、複数の圧力逃がし孔をそれぞれ有する、請求項１記載の建物の開口の遮蔽構造。
【発明の詳細な説明】
【技術分野】
【０００１】
本発明は建物の建築材に関し、特に排水・圧力逃がし装置を有する建物の開口の遮蔽構造に関する。
【背景技術】
【０００２】
窓やドアパネルなどの建物開口部の遮蔽材は、窓を例とすれば、操作性、遮音性、耐風性、耐水性に優れていることが求められるため、気密窓が多く用いられている。ユーザーが引いて開閉することができるスライドレール式の気密窓には、枠体に平行のレールが配置され、２つの窓が互いにずらして平行に対向移動できるように該レールに配置することによって、建物の屋内側と屋外側の間の空間を開閉し、２つの窓の密閉によって屋外側の風雨を屋内側の空間に入ることを避ける。
【０００３】
しかしながら、風雨が強すぎると、屋外側の圧力が屋内側の圧力よりも高くなり、この圧力差により、風雨が枠体や２つの窓の隙間から室内側の空間に入り、室内の湿気や水漏れが発生することがある。従って、従来の建物の開口部の遮蔽構造は、まだ改善が必要である。
【発明の概要】
【発明が解決しようとする課題】
【０００４】
これを鑑みて、本発明の目的は、排水・圧力逃がし手段を有し、風や雨が枠体と２つの窓の間の隙間から室内に入るのを回避できる建物の開口の遮蔽構造を提供することにある。
【課題を解決するための手段】
【０００５】
上記の目的を達成するために、本発明の建物の開口の遮蔽構造は、枠体、平行に対向移動できるように該枠体に配置されているフロント窓及びリア窓を有し、前記枠体が少なくとも１つの排水溝を有する底枠を含み、前記フロント窓が第１の縦面を有する第１の縦枠を含み、前記リア窓が前記第１の縦面と対向する第２の縦面を有する第２の縦枠を含み、前記第１の縦面と第２の縦面との間に配置され、該第１の縦面及び該第２の縦面とともに空間を囲んで形成する密封構造を有し、前記フロント窓の第１の縦面と前記リア窓の第２の縦面の少なくとも一方に、前記空間及び前記排水溝と連通する少なくとも１つの穿孔が配置されている。
【発明の効果】
【０００６】
本発明は、風雨が非常に重い場合、風や雨を前記空間に導入し、それを穿孔から排出することにより、屋内と屋外の圧力差が大き過ぎ、枠体や２枚の窓の隙間から風雨が室内側の空間に入り込み、室内に湿気や水漏れを発生させることを回避し、良好な密閉効果を実現できる効果を有する。
【図面の簡単な説明】
【０００７】
【図１】本発明の好ましい実施形態に係る建物の開口の遮蔽構造を示す斜視図である。
【図２】図１の正面図である。
【図３】前記好ましい実施形態に係る建物の開口の遮蔽構造の一部構成を示す分解図である。
【図４】前記好ましい実施形態に係る建物の開口の遮蔽構造の一部構成を示す分解図である。
【図５】図２の５−５線の断面図である。
【図６】図５の一部構成を示す拡大図である。
【図７】他の好ましい実施形態に係る建物の開口の遮蔽構造の一部構成を示す図である。
【図８】図５の一部構成を示す拡大図である。
【図９】図２の９−９線の断面図である。
【図１０】図９の一部構成を示す拡大図である。
【図１１】図１の１１−１１線の断面図である。
【図１２】建物開口の遮蔽構造の通風用カバーを示す図である。
【図１３】建物開口の遮蔽構造の通風用カバーを示す図である。
【発明を実施するための形態】
【０００８】
本発明をより明確に説明するために、図面を参照しながら好ましい実施形態を詳細に説明する。図１〜図４は本発明の好ましい実施形態に係る建物の開口の遮蔽構造１を示した。建物の開口の遮蔽構造１は、枠体１０、フロント窓２０、リア窓３０及び密封構造４０を含み、枠体１０は長方形の形状を有し、その底部に底枠１２を含む。底枠１２は、フロント窓２０及びリア窓３０が配置される２つの平行レール１４を有し、フロント窓２０及びリア窓３０はガラス板をそれぞれ有し、互いにずらして平行に対向移動できるように該レール１４に組み合わせされている。フロント窓２０とリア窓３０が互いにずらしていると、建物の屋内側の空間と屋外側の空間が遮断され、フロント窓２０とリア窓３０とが重なると、建物の屋内側の空間と屋外側の空間が連通される。
【０００９】
図１に示したように、本実施形態のフロント窓２０は屋外に近い側に配置され、リア窓３０は屋内に近い側に配置されている。図３に示したように、枠体１０の底枠１２が少なくとも１つの排水溝１２ａを有し、図４に示したように、フロント窓２０が第１の縦枠２２を有し、第１の縦枠２２が第１の縦面２４を有する。リア窓３０は第２の縦枠３２を有し、第２の縦枠３２は第１の縦面２４に対向する第２の縦面３４を有し、第１の縦枠２２及び第２の縦枠３２はともに中空のアルミニウム材からなる。フロント窓２０は、第１の縦面２４に２つの穿孔２４ａが設けられている。第１の縦枠２２の下端は、排水溝１２ａに対応する開口２６を有し、これによって、穿孔２４ａは排水溝１２ａと連通する。前記密封構造４０は、前記第１の縦面２４と第２の縦面３４との間に配置される。フロント窓２０及びリア窓３０が枠体１０の開口部を遮蔽する位置に平行移動されると、前記第１の縦枠２２の第１の縦面２４と前記第２の縦枠３２の第２の縦面３４は互いに対向しながら密封構造４０とともに空間Ｓを形成するように囲み、該空間Ｓは、これらの穿孔２４ａを介して排水溝１２ａと連通する。
【００１０】
これにより、水気を伴う気流は建物の開口部の遮蔽構造１に噴霧され、気流が空間Ｓに導かれると、空間Ｓを流れて雨水を含む気流は、これらの穿孔２４ａから第１の縦枠２２の中空の内部に入り、第１の縦枠２２から下向きの傾向にしたがって第１の縦枠２２の下端の開口２６から排出され、排水溝１２ａに流入する。穿孔２４ａは、空気流により遮蔽構造１に及ぼされる圧力を分散させるのに役立ち、屋内と屋外との間の過度の圧力差を回避し、枠体１０、フロント窓２０及びリア窓３０の間の隙間から風雨が室内に入り込み、室内に湿気や水漏れを発生させることを回避し、良好な密閉効果を達成できる。
【００１１】
上述の穿孔２４ａは、フロント窓２０の第１の縦面２４に設けられているが、他の実施形態では、穿孔２４ａは、リア窓３０の第２の縦面３４に設けられてもよいし、フロント窓２０の第１の縦面２４とリア窓３０の第２の縦面３４とともに設けられてもよい。第１の縦枠２２及び第２の縦枠３２の中空管の下端には、穿孔の位置に対応して雨水を下方に導くための開口が設けられており、例えば、穿孔２４ａがリア窓３０の第２の縦面３４に設けられている場合、第２の縦枠３２の中空管の下端には、対応して開口が設けられる。または、穿孔２４ａがフロント窓２０の第１の縦面２４及びリア窓３０の第２の縦面３４に同時に設けられる場合、第１の縦枠２２及び第２の縦枠３２の中空管の下端にも同時に開口が設けられる。これにより、気流が空間Ｓに案内されると、穿孔２４ａを介して中空管本体に入り、中空管本体の下端の開口から排出され、上記実施形態の圧力緩和の効果が達成される。なお、前記穿孔２４ａの数は２つに限らず、実際には１つでも２つ以上でも、前記空間と中空管とを連通する可能である。
【００１２】
図５、図６に示したように、一実施形態では、密封構造４０は、前記フロント窓２０の第１の縦枠２２の長手の辺又は前記リア窓３０の第２の縦枠３２の長手の辺に沿って前記第１の縦面２４及び前記第２の縦面３４の少なくとも１つに接続している２つシール条４２から構成される。本実施の形態には、２つのシール条４２は互いに離れて第２の縦枠３２の第２の縦面３４に接続され、第１の縦面２４及び第２の縦面３４とともに空間Ｓを形成するように囲む。実際に、該２つのシール条４２の接続位置はこれに限定されるものではなく、例えば、２つのシール条はともに第１の縦枠の第１の縦面に接続されてもよく、または一方は第１の縦枠の第１の縦面に接続され、他方は、第２縦枠の第２縦面に接続されても、第１の縦面と第の２縦面とで前記空間を囲むことができ、上記実施形態に限定されない。
【００１３】
一実施形態では、シール条４２は、取付部４２ａと止め部４２ｂとを有する。前記第１の縦枠２２の第１の縦面２４と第２の縦枠３２の第２の縦面３４の少なくとも一方には前記取付部４２ａに対応する収容溝３６を有し、取付部４２ａは収容溝３６に着脱自在に収容され、止め部４２ｂの一端は取付部４２ａに接続され、他端は第１の縦面２４又は第２の縦面３４に当接している。本実施形態では、第２の縦枠３２の第２の縦面３４に収容溝３６が形成され、各シール条４２の取付部４２ａが収容溝３６に配置されると、シール条４２の止め部４２ｂの一端が第１の縦枠２２の第１の縦面２４に当接することにより、該２つのシール条４２の止め部４２ｂは第１の縦面２４及び第２の縦面３４と取り囲んで空間Ｓを形成することができる。前述の実施形態に限られず、他の実施形態では、収容溝は第１の縦枠２２の第１の縦面２４に設けられており、各シール条が収容溝に配置されると、止め部の一端が第２の縦枠３２の第２の縦面３４に当接されてもよい。また、一方の収容溝が前記第１の縦枠２２の第１の縦面２４に設けられ、他方が第２の縦枠３２の第２の縦面３４に設けられ、各シール条の取付部は収容溝に配置されると、一方の止め部は第１の縦枠２２の第１の縦面２４に当接し、他方は第２の縦枠３２の第２の縦面３４に当接することによっても、第１の縦面及び第２の縦面との間に空間を囲んで形成する作用を有する。
【００１４】
本実施形態では、止め部４２ｂの数は複数であり、各止め部４２ｂは互いに離間している。これらの止め部４２ｂは、第１の止め部４２１と第２の止め部４２２とを含むと定義し、第１の止め部４２１及び第２の止め部４２２は、取付部４２ａから離れる方向に所定の長さを延出し、且つ第１の止め部４２１の延出長さは第２の止め部４２２の延出長さと等しくない。好ましいのは、第１の止め部４２１は、空間Ｓに近接する位置に配置され、第２の止め部４２２は、空間Ｓから離れる位置に配置されるとともに、第２の止め部４２２の延出長さは、第１の止め部４２１の延出長さよりも長い。止め部４２ｂを複数個配置し、且つ第２の止め部４２２の延出長さは第１の止め部４２１の延出長さよりも大きいため、空間Ｓの密閉度が向上し、止め部４２ｂと第１の縦面２４又は第２の縦面３４の間で水気が漏れるのを防ぐことができる。さらに、本実施形態では、各シール条４２はゴム製であるので、フロント窓２０及びリア窓３０が枠体１０の開口を遮蔽する位置に移動すると、これらのシール条４２が弾性変形して第１の縦面２４に当接し、これにより、止め部４２ｂと第１の縦面２４との間のシール効果を向上させる。他の実施形態では、第１の止め部及び第２の止め部の数は複数であってもよく、これにより空間の密閉度を向上させるのに役立つ。
【００１５】
一実施形態では、図７に示したように、底枠１２には、第１の縦枠２２及び第２の縦枠３２のいずれか一方の底部に位置する遮蔽部７０が設けられる。遮蔽部７０は複数のフィン７０ａを有し、フィン７０ａの部分が空間Ｓに位置している。これにより、フィン７０ａの分流構造で気流に乗った落葉や不純物が空間Ｓに入り込み、堆積や穿孔２４ａの閉塞のような問題を起こすことを防止できる。
【００１６】
図５及び図８に示したように、枠体の両側面には管状ゴム材１６が設けられ、管状ゴム材１６のそれぞれの表面は複数の突起部１６ａを有する。フロント窓２０とリア窓３０が互いにずらして建物の屋内側の空間と屋外側の空間を遮断すると、フロント窓２０とリア窓３０はそれぞれ、前記枠体に配置された管状ゴム材１６の突起部１６ａに接触して気密効果が向上されるとともに、管状ゴム材１６の表面の突起部１６ａは、フロント窓２０又はリア窓３０を移動させる抵抗を減らすことができる。なお、フロント窓２０及びリア窓３０はそれぞれ傾斜面２０ａ、３０ａを有し、フロント窓２０とリア窓３０が互いにずらして建物の屋内側の空間と屋外側の空間を遮断すると、前記管状ゴム材１６が傾斜面２０ａ、３０ａに従って前記フロント窓２０又はリア窓３０と密接に接触する。これにより、フロント窓２０又はリア窓３０を移動するときに管状ゴム材１６が大きく変形することを回避することができる。好ましいのは、前記枠体１０は２つのガイド板１８を含み、前記フロント窓２０及びリア窓３０の外側にはそれぞれ少なくとも１つのガイドブロック３８が設けられる。フロント窓２０及びリア窓３０が互いにずらして建物の屋内側と屋外側の空間を隔離する場合、ガイド板１８はそれぞれガイドブロック３８と接触しており、フロント窓２０及びリア窓３０をそれぞれ管状ゴム材１６に押し付け、より良好な気密性を提供する。
【００１７】
図９〜図１１に示したように、本実施形態では、第１の縦枠２２及び第２の縦枠３２はともに中空管であり、第１の縦枠２２の下端には排水溝１２ａと対応する開口２６を備えるので、水分を巻き込んだ気流が空間Ｓに入ると、これらの穿孔２４ａから中空管の内部に入り、第１の縦枠２２の下端の開口２６から排出される。好ましいのは、排水溝１２ａは少なくとも１つの溝壁を有し、溝壁は少なくとも１つの排水孔１２ｂを有し、排水溝１２ａの底部は水を排出して水滞留を回避するための斜面１２ｃを有する。上記の構成に限らず、他の実施形態では、第１の縦枠及び／又は第２の縦枠の少なくとも一方は中空管であり下端に前記排水溝に対応する開口を有しても上記の効果を達成できる。例えば、第１の縦枠が中空管で、下端に排水溝に対応する開口を有し、水分を巻き込んだ気流が前記空間に入ると、第１の縦枠の第１の縦面における穿孔から該第１の縦枠の中空管の内部に入り、下端の開口から排出される。
【００１８】
なお、排水溝１２ａが第１の段階部及びと第２の段階部を含み、前記フロント窓２０が第１の段階部に配置され、リア窓３０が第２の段階部に配置される。該第１の段階部は斜面１２ｃを有し、第２の段階部は取付面１２ｄ及び導流面１２ｅを有し、斜面１２ｃと底枠１２の底部との間に第１の距離ｈ１を有し、取付面１２ｄと底枠１２の底部との間に前記第１の距離ｈ１より大きい第２の距離ｈ２を有する。導流面１２ｅは所定の角度をなして斜面１２ｃに接続されている。第２の距離ｈ２は第１の距離ｈ１より大きいこと、及び導流面１２ｅと傾斜面１２ｃの設計により、滞留水を導流面１２ｅと傾斜面１２ｃから順調に排出させ、室内側の排水溝１２ａに水が溜まることを回避することができる。
【００１９】
また、本実施形態では、フロント窓２０及びリア窓３０は、該フロント窓２０又はリア窓３０の内縁に配置され、それぞれに外部空間及びフロント窓２０並びにリア窓３０の内部と連通している複数の圧力逃がし孔２９、３９を有するので、水分を巻き込んだ気流は、圧力逃がし孔２９、３９を介してフロント窓２０及びリア窓３０に入り、排水溝１２ａから排出される。
【００２０】
前記第１の縦枠２２及び第２の縦枠３２の少なくとも一方は、前記空間Ｓと外部空間とを連通する少なくとも１つの側孔２８を有する。本実施の形態では、前記第１の縦枠２２は空間Ｓと外部空間とを連通する複数の側孔２８を有しているので、水を巻き込んだ気流が空間Ｓに入り穿孔２４ａから中空管に入ると、第１の縦枠２２の下端の開口２６だけでなく、側孔２８から排出することもでき、空気循環を増加させる効果を有する。
【００２１】
なお、本実施形態の穿孔２４ａには、図１２及び図１３に示したように、通風用カバー５０が設けられており、通風用カバー５０の数は、穿孔２４ａの数に対応している。通風用カバー５０は、前端５０ａが開孔５０１を有し、後端５０ｂが複数の側面開孔５０２を有し、且つ開孔５０１の面積は側面開孔５０２の面積よりも大きい。通風用カバー５０の前端５０ａは空間Ｓに配置され、後端５０ｂは中空管本体に配置されており、該通風用カバー５０は空間Ｓと中空管本体とを接続する機能を有するだけでなく、気流に乗った落葉や不純物が中空管本体に入り込み、堆積や閉塞のような問題を起こすことを防止できる。
【００２２】
上述したものは本発明の好ましい実行可能な実施形態に過ぎず、本発明の明細書及び特許請求の範囲の均等変化はすべて、本発明の特許請求の範囲内に含まれるべきである。
【符号の説明】
【００２３】
１建物の開口の遮蔽構造
１０枠体
１２底枠        １４レール        １２ａ排水溝
１２ｂ排水孔    １２ｃ斜面        １２ｄ取り付け面
１２ｅ導流面    １６管状ゴム材    １６ａ突起部
１８ガイド板
２０フロント窓
２０ａ傾斜面
２２第１の縦枠    ２４第１の縦面    ２４ａ穿孔
２６開口          ２８側孔          ２９圧力逃がし孔
３０リア窓
３０ａ傾斜面
３２第２の縦枠      ３４第２の縦面    ３６収容溝
３８ガイドブロック  ３９圧力逃がし孔
４０密封構造
４２シール条        ４２ａ取付部      ４２ｂ止め部
４２１第１の止め部  ４２２第２の止め部
５０通風用カバー
５０ａ前端      ５０１開孔      ５０ｂ後端
５０２側面開孔
７０遮蔽部
７０ａ複数のフィン
Ｓ空間
ｈ１第１の距離
ｈ２第２の距離
【図１】
0006977122.tif 000002
【図２】
0006977122.tif 000003
【図３】
0006977122.tif 000004
【図４】
0006977122.tif 000005
【図５】
0006977122.tif 000006
【図６】
0006977122.tif 000007
【図７】
0006977122.tif 000008
【図８】
0006977122.tif 000009
【図９】
0006977122.tif 000010
【図１０】
0006977122.tif 000011
【図１１】
0006977122.tif 000012
【図１２】
0006977122.tif 000013
【図１３】
0006977122.tif 000014